(57)【要約】【課題】ログ壁において、通しボルトにより地震力や風圧力に起因するログ壁の引抜力を十分に拘束できるようなログ壁の補強構造を提供する。【解決手段】丸太組構法によるログ壁10の補強構造において、前記ログ壁10は、二本の前記通しボルト60で挟まれている領域としての、幅をｗ（ｍｍ）及び高さをｈ（ｍｍ）とする補強領域15において、ダボ50は前記二本の通しボルト60の間にｎ箇所（ただし、ｎは自然数）設けられ、ダボ50一本が負担し得る剪断力をｑ（Ｎ）、通しボルト60の許容引張応力度をｆｔ（Ｎ／ｍｍ２）、ログ材11の許容支圧応力度をｆｃ（Ｎ／ｍｍ２）としたとき、補強領域15における通しボルト60の断面積はＡ＝ｎｑｈ／ｗ／ｆｔで定義されるＡ（ｍｍ２）以上であるとともに、この断面積の通しボルト60に装着される座金61の面積は、Ｂ＝ｎｑｈ／ｗ／ｆｃで定義されるＢ（ｍｍ２）以上である。【選択図】図１
2017150298.tif 000002
【特許請求の範囲】
【請求項１】
ログ材を水平に積み上げて形成した、丸太組構法によるログ壁の補強構造において、
前記ログ壁は、該ログ壁を構成する複数のログ材の最上段から最下段までを貫通して緊結する通しボルトと、
上下に隣接するログ材のうち、上側のログ材の高さ寸法の下側の半分以上にわたり、該ログ材に垂直に挿入されるとともに、下側のログ材の高さ寸法の上側の半分以上にわたり、該ログ材に垂直に挿入されることで、前記上下に隣接するログ材同士を連結するダボとを備え、
前記通しボルトは、前記最上段のログ材の上縁から、前記最下段のログ材の下縁までを貫通して、上端及び下端に装着される座金を通してナットにより緊結されるものであり、
前記ログ壁のうち、二本の前記通しボルトで挟まれている領域としての補強領域において、
該補強領域の幅をｗ（ｍｍ）及び高さをｈ（ｍｍ）とし、
前記ダボは前記二本の通しボルトの間にｎ箇所（ただし、ｎは自然数）設けられ、
該ダボ一本が負担し得る剪断力をｑ（Ｎ）とし、
前記通しボルトの許容引張応力度をｆｔ（Ｎ／ｍｍ２）とし、
前記ログ材の許容支圧応力度をｆｃ（Ｎ／ｍｍ２）
としたとき、
前記補強領域における前記通しボルトの断面積は、
Ａ＝ｎｑｈ／ｗ／ｆｔ
で定義されるＡ（ｍｍ２）以上であるとともに、
前記断面積の通しボルトに装着される前記座金の面積は、
Ｂ＝ｎｑｈ／ｗ／ｆｃ
で定義されるＢ（ｍｍ２）以上であることを特徴とするログ壁の補強構造。
【請求項２】
前記ログ壁が開口部70を備えることで前記補強領域が複数ある場合、前記通しボルトの断面積及び前記座金の面積は、各補強領域で算出されたそれぞれの値のうちの最大値以上とすることを特徴とする請求項１記載のログ壁の補強構造。
【請求項３】
前記複数のログ材のうち、一のログ材と、前記一のログ材の一段下のログ材とは、平面視において異なる位置に前記ダボが設けられ、
前記一のログ材と、該一のログ材の二段下のログ材とは、平面視において同一位置に前記ダボが設けられ、
かつ、前記ダボは、前記通しボルトとは平面視において異なる位置に配置されていることを特徴とする請求項１又は２記載のログ壁の補強構造。
【請求項４】
前記ログ材の最上段から最下段にかけては、平面視において同一位置で貫通しているダボ用孔が形成されており、
前記ダボは、管状を呈し、かつ、前記ログ材の最上段から最下段まで平面視において同一位置で前記ダボ用孔に挿入されているとともに、
前記ダボのうち少なくとも一つに前記通しボルトが挿通されていることを特徴とする請求項１又は２記載のログ壁の補強構造。
【請求項５】
前記ログ材の最上段から最下段にかけては、平面視において同一位置で貫通しているダボ用孔が形成されており、
前記ダボは、棒状を呈し、かつ、前記ログ材の最上段から最下段まで平面視において同一位置で前記ダボ用孔に挿入されていることを特徴とする請求項１又は２記載のログ壁の補強構造。
【発明の詳細な説明】
【技術分野】
【０００１】
本発明は、丸太組構法におけるログ壁の補強構造に関する。
【背景技術】
【０００２】
ログハウスとは、丸太、製材その他これに類する木材（以下「ログ材」とする。）を水平に積み上げる丸太組構法によってログ壁を構築し、上部に屋根を設けた建造物である。
従来、ログ壁は、図１２に示すように、上下に隣接するログ材にダボ500を挿入して組み上げていた。また、ダボ500の挿入と同時に通しボルト600をログ壁の左右の端辺部分に通して全段を緊結することによって、また、各段のログ材に設けられたダボ500によって、地震等が発生した際のログ壁の剪断力に起因するログ材のずれを防止していた。
【０００３】
このような技術として、ログ壁に相当する「壁面部材」内にパイプを通し、そのパイプ内に鉄筋を挿通した後、鉄筋の上下部分をナットで締めることにより各段のログ材に相当する「小径木」を緊結したものが、下記の特許文献１に開示されている。
【先行技術文献】
【特許文献】
【０００４】
【特許文献１】特開２００６−１０４７３７号公報
【発明の概要】
【発明が解決しようとする課題】
【０００５】
ここで、ログハウスの実大震動試験等による挙動の検証から、横揺れ地震が生じると、地震力の作用により、ログ壁を転倒させようとする回転力が発生していることが観察できる。また、ログ壁に回転力を発生させる要因は、地震力だけでなく突風等による風圧力によっても生じ得る。
【０００６】
ダボによる上下隣接するログ材の剪断力への抵抗により、そのダボを有することでログ壁自体の負担できる剪断力が上昇することになる。これは、ログ壁のダボの本数が増すほど、ログ壁自体が一体化して回転しやすくなり、水平方向の剪断力に起因する垂直方向の引抜力への抵抗性が低くなることを表す。このようなログ壁の回転のしやすさは、ログ壁に二以上の開口部を設けた場合、開口部の間に挟まれている部分（いわゆる、すだれ壁）においてより問題となる。
【０００７】
そこで、本発明は、ログ壁において、通しボルトにより地震力や風圧力に起因するログ壁の引抜力を十分に拘束し、ログ壁の回転を抑えることで、ログ壁の剛性を増すことのできるログ壁の補強構造を提供することを課題とする。
【課題を解決するための手段】
【０００８】
（第１の発明）
本発明のうち第１の発明は、ログ材11を水平に積み上げて形成した、丸太組構法によるログ壁10の補強構造において、
前記ログ壁10は、該ログ壁10を構成する複数のログ材11の最上段から最下段までを貫通して緊結する通しボルト60と、
上下に隣接するログ材11のうち、上側のログ材11の高さ寸法の下側の半分以上にわたり、該ログ材11に垂直に挿入されるとともに、下側のログ材11の高さ寸法の上側の半分以上にわたり、該ログ材11に垂直に挿入されることで、前記上下に隣接するログ材11同士を連結するダボ50とを備え、
前記通しボルト60は、前記最上段のログ材11の上縁から、前記最下段のログ材11の下縁までを貫通して、上端及び下端に装着される座金61を通してナット62により緊結されるものであり、
前記ログ壁10のうち、二本の前記通しボルト60で挟まれている領域としての補強領域15において、
該補強領域15の幅をｗ（ｍｍ）及び高さをｈ（ｍｍ）とし、
前記ダボ50は前記二本の通しボルト60の間にｎ箇所（ただし、ｎは自然数）設けられ、
該ダボ50一本が負担し得る剪断力をｑ（Ｎ）とし、
前記通しボルト60の許容引張応力度をｆｔ（Ｎ／ｍｍ２）とし、
前記ログ材11の許容支圧応力度をｆｃ（Ｎ／ｍｍ２）
としたとき、
前記補強領域15における前記通しボルト60の断面積は、
Ａ＝ｎｑｈ／ｗ／ｆｔ
で定義されるＡ（ｍｍ２）以上であるとともに、
前記断面積の通しボルト60に装着される前記座金61の面積は、
Ｂ＝ｎｑｈ／ｗ／ｆｃ
で定義されるＢ（ｍｍ２）以上であることを特徴とする。
【０００９】
ここで、「通しボルト60」とは、緊結対象のログ材11の最上段の上縁から最下段の下縁までを緊結する部材である。また、「ダボ50」とは、ログ材11に垂直に挿入することによって、上下に隣接するログ材11同士を連結する部材である。
【００１０】
「補強領域15」とは、ログ壁10のうち、二本の通しボルト60で挟まれるとともに、この二本の通しボルトの間に少なくとも１箇所にダボ50が設けられ、これらの通しボルト60及びダボ50によって補強されている領域をいう。ここで、あるログ材11（ただし、最上段のログ材11は除く。）についてダボ50が設けられている「箇所」とは、直上のログ材11に対し連結するダボ50が設けられている位置をいう。
【００１１】
ここで、ある補強領域15については、上述の通り、ｎ箇所のダボ50が設けられている。このｎ箇所のダボが引き受ける水平方向の剪断力は、ｎｑ（Ｎ）である。そして、この剪断力に相当する水平力が当該補強領域15にかかった場合、この水平力による当該補強領域15への垂直方向の引抜力ｔ（Ｎ）は下式により求められる。
ｔ＝ｎｑｈ／ｗ
【００１２】
この引抜力ｔに抗し得る通しボルト60の必要断面積Ａ（ｍｍ２）は、
Ａ＝ｔ／ｆｔ＝ｎｑｈ／ｗ／ｆｔ
で求められる。
【００１３】
また、この通しボルト60を締結する座金61の必要面積Ｂ（ｍｍ２）は、
Ｂ＝ｔ／ｆｃ＝ｎｑｈ／ｗ／ｆｃ
で求められる。
【００１４】
したがって、ある補強領域15において、設けられるダボ50が引き受ける剪断力に伴う引抜力に抗するためには、通しボルト60の断面積は上記Ａ以上である必要があり、かつ、座金61の面積は上記Ｂ以上である必要がある。
【００１５】
たとえば、前記ログ壁10に開口部70がある場合、当該ログ壁10の交差部12（いわゆる「ノッチ」）の近傍と、当該開口部70の辺縁の近傍とにそれぞれ通しボルト60が設けられることがある。その際、当該ログ壁10の当該交差部12から当該開口部70の辺縁までの領域は前記補強領域15となる。
【００１６】
また、前記ログ壁10に開口部70が二以上ある場合、当該ログ壁10において開口部70に挟まれた部分（いわゆる「すだれ壁13」）が生ずる。この場合、当該すだれ壁13の両縁、すなわち、左右の開口部70の辺縁の近傍それぞれに通しボルト60が設けられることが多い。その際、当該二の開口部70の辺縁間の、当該すだれ壁13の領域は前記補強領域15となる。
【００１７】
（第２の発明）
前記ログ壁10に開口部70がある場合、前記補強領域15が同一のログ壁10に２以上存在することがあり得る。そして、補強領域15ごとに、幅や、ダボの設置箇所の数が異なることは当然あり得る。よって、補強領域15ごとに、通しボルト60の必要断面積Ａ及び座金61の必要面積Ｂが異なることはあり得る。そのような場合、補強領域15ごとに異なる断面積の通しボルト60を使用したり、異なる面積の座金61を使用したりすることとしてもよい。
【００１８】
そうすると、一棟のログハウス1に対し、複数種類の通しボルト60及び座金61を準備しなければならなくなる。さらに、その複数種類の通しボルト60及び座金61は対応する補強領域15に間違いなく使用しなければならない。これは、施工管理上煩雑であるのみならず、コスト面でも非効率である。
【００１９】
上記の点に鑑み、本発明のうち第２の発明は、前記した第１の発明の特徴に加え、前記ログ壁が開口部70を備えることで前記補強領域15が複数ある場合、前記通しボルト60の断面積及び前記座金61の面積は、各補強領域15で算出されたそれぞれの値のうちの最大値以上とすることを特徴とする。こうすることで、一棟のログハウス1に対し、それぞれ一種類の通しボルト60及び座金61を用意すれば足りることになる。
【００２０】
（第３の発明）
本発明のうち第３の発明は、前記した第１又は第２の発明の特徴に加え、前記複数のログ材11のうち、一のログ材11と、前記一のログ材11の一段下のログ材11とは、平面視において異なる位置に前記ダボ50が設けられ、前記一のログ材11と、該一のログ材11の二段下のログ材11とは、平面視において同一位置に前記ダボ50が設けられ、かつ、前記ダボ50は、前記通しボルト60とは平面視において異なる位置に配置されていることを特徴とする。
【００２１】
すなわち、本第３の発明においては、上下のダボ50が互い違いに配置（いわゆる「千鳥」）されていることとなっている。そして、このような千鳥に配置されているダボ50は、前記補強領域15における引抜力ｔ（並びに通しボルト60の必要断面積Ａ及び座金61の必要面積Ｂ）の計算においては、一箇所として取り扱われるものである。
【００２２】
（第４の発明）
本発明のうち第４の発明は、前記した第１又は第２の発明の特徴に加え、前記ログ材11の最上段から最下段にかけては、平面視において同一位置で貫通しているダボ用孔52が形成されており、前記ダボ50は、管状を呈し、かつ、前記ログ材11の最上段から最下段まで平面視において同一位置で前記ダボ用孔52に挿入されているとともに、前記ダボ50のうち少なくとも一つに前記通しボルト60が挿通されていることを特徴とする。
【００２３】
本第４の発明の場合、たとえば、前記補強領域15において、両縁の通しボルト60の間に設けられたダボ50の中に別の通しボルト60が挿通されていることがあり得る。この場合、当該補強領域15は、当該別の通しボルト60で分割され、新たに二つの補強領域として、前記引抜力ｔ（並びに通しボルト60の必要断面積Ａ及び座金61の必要面積Ｂ）の計算がなされることがあり得る。
【００２４】
（第５の発明）
本発明のうち第５の発明は、前記した第１又は第２の発明の特徴に加え、前記ログ材11の最上段から最下段にかけては、平面視において同一位置で貫通しているダボ用孔52が形成されており、前記ダボ50は、棒状を呈し、かつ、前記ログ材11の最上段から最下段まで平面視において同一位置で前記ダボ用孔52に挿入されていることを特徴とする。
【００２５】
（その他）
なお、前記第４又は第５の発明の場合においては、前記補強領域15における引抜力ｔ（並びに通しボルト60の必要断面積Ａ及び座金61の必要面積Ｂ）の計算において「一箇所」として取り扱われるダボ50は平面視で同一位置にあることになる。
【発明の効果】
【００２６】
本発明は、以上のように構成されているので、通しボルトにより地震力や風圧力に起因するログ壁の引抜力を十分に拘束し、ログ壁の回転を抑えることで、ログ壁の剛性を増すことのできるログ壁の補強構造を提供することが可能となっている。
【図面の簡単な説明】
【００２７】
【図１】第１の実施の形態におけるログハウスの正面図である。
【図２】第１の実施の形態における開口部近傍のログ壁を構成するログ材の平面図である。
【図３】第１の実施の形態における通しボルトとダボの部分断面図である。
【図４】第１の実施の形態におけるログ材及びダボの概略拡大図である。
【図５】第１の実施の形態におけるログ材及びダボの概略拡大図である。
【図６】第２の実施の形態におけるログハウスの正面図である。
【図７】第２の実施の形態における通しボルトとダボの部分断面図である。
【図８】第２の実施の形態にログ材及びダボの概略拡大図である。
【図９】第３の実施の形態におけるログハウスの正面図である。
【図１０】第３の実施の形態における通しボルトとダボの部分断面図である。
【図１１】第３の実施の形態にログ材及びダボの概略拡大図である。
【図１２】従来のログハウスの正面図である。
【発明を実施するための形態】
【００２８】
（第１の実施の形態）
（全体構造）
本実施の形態に係るログハウス1は、図１に示すように、地面に打設された基礎20と、この基礎20に載置され、かつ、基礎20に対してアンカーボルト40で固定された土台30と（図３参照）、この土台30の上に構築されたログ壁10とを備えている。なお、ログ壁10は、丸太、製材その他これに類するログ材11を水平に積み上げる丸太組構法によって構築されている。
また、本実施の形態に係るログ壁10のうち少なくとも一面には、図１に示すように、二つの開口部70が形成されている。なお、説明の便宜上、以下において、左方に設けられた開口部70を「第１開口部72」と、右方に設けられた開口部70を「第２開口部74」と称する。なお、図示しないが、第１開口部72には扉が、第２開口部74には窓が備えられている。
【００２９】
ここで、図１に示す、本実施の形態に係るログ壁10は、「補強領域15」を三箇所有している。
【００３０】
この三箇所のうち左側の補強領域15は、幅がｗ１（ｍｍ）であり、その左端辺はログ材11の交差部12と接し、その右端辺に開口部70（第１開口部72）の一辺を含んでいる。中央の補強領域15は、幅がｗ２（ｍｍ）であり、その左端辺に開口部70（第１開口部72）の一辺を含み、その右端辺に開口部70（第２開口部74）の一辺を含んでいる。なお、この中央の補強領域15は、左右両端辺のどちらもログ材11の交差部12と接していないすだれ壁13である。そして、右側の補強領域15は、幅がｗ３（ｍｍ）であり、その左端辺に開口部70（第２開口部74）の一辺を含み、その右端辺はログ材11の交差部12と接している。ログ壁10の高さ（すなわち、各補強領域15の高さ）はｈ（ｍｍ）である。
【００３１】
そして、各補強領域15の左右の端辺には、通しボルト60が設けられている。
【００３２】
また、ログ壁10は、複数のログ材11同士を連結させることによって構成され、このログ材11同士はダボ50によって連結されている。上下隣接するダボ50は千鳥に配置されている。左側の補強領域15にはダボ50は二箇所設けられている。中央の補強領域15にはダボ50は三箇所設けられている。右側の補強領域15にはダボ50は一箇所設けられている。
【００３３】
以下、本実施の形態に係るログハウス1の特徴点である「通しボルト60」及び「ダボ50」について説明する。
【００３４】
（通しボルト60）
本実施の形態における通しボルト60は、ログ材11の最上段から最下段を貫通するように形成されたボルト用孔65（図３参照）を通ってログ材11の最上段から最下段を緊結する（図１参照）。
【００３５】
そして、通しボルト60をボルト用孔65に通し、ログ材11の最上段及び最下段から突出した部分に座金61をログ材11との間に挟んでナット62を取り付け、ナット62を締めることで最上段から最下段のログ材11を緊結する。
具体的には、図１に示すように、通しボルト60は、左側の補強領域15に二箇所、中央の補強領域15に三箇所、右側の補強領域15に一箇所設けられており、各々の箇所で、最上段から最下段のログ材11を緊結する。
【００３６】
また、ログ壁10に設けられた通しボルト60のうち、中央の補強領域15において、第１開口部72の右端辺及び第２開口部74の左端辺近傍に設けられた通しボルト60について、図２に基づいて説明する。
【００３７】
図２は、ある補強領域15において、開口部70近傍にボルト用孔65が設けられている様子を示している。
【００３８】
ここで、ログ材11を水平に積み上げる丸太組構法の風圧力などによるログ壁10の面外へのはらみ出しや破壊を防ぐために、開口部70周囲は、通しボルト60、ダボ50などにより、構造耐力上有効に補強しなければならない。
【００３９】
したがって、本実施の形態においては、図２に示すように、開口部70近傍にボルト用孔65を設け、前述のように、このボルト用孔65に通しボルト60を挿通させることでログ材11の最上段から最下段を緊結している（図１参照）。
【００４０】
（ダボ50）
本実施の形態におけるダボ50は、図１、図２及び図３に示すように、通しボルト60の取り付け位置とは平面視において異なる複数箇所に設けられており、かつ、各段のダボ50が互い違い（千鳥）に設けられている。
【００４１】
すなわち、本実施の形態におけるログ壁10を構成する一のログ材11と、この一のログ材11の一段下のログ材11とは、平面視において異なる位置にダボ50が設けられている。また、一のログ材11と、この一のログ材11の二段下のログ材11とは、平面視において同一位置にダボ50が設けられている。
【００４２】
ここで、図３及び図４に示すように、本実施の形態におけるダボ50はラグスクリューであり、このダボ50の長さは、ログ材11の縦方向の長さの約１．５倍である。このダボ50は、上下に隣接するログ材11の上側のログ材11の高さ寸法の半分以上にわたり、そのログ材11の芯付近で垂直に挿入されるとともに、下側のログ材11の高さ寸法の半分以上にわたり、そのログ材11の芯付近で垂直に挿入されることで、上下に隣接するログ材11同士を連結する。
【００４３】
なお、「芯」とは、一のログ材11において、ダボ50が挿入される面の長手方向の両対辺から等距離にある位置のことを指す。そして、「芯付近」とは必ずしも「芯」上にダボ50が位置する必要はなく、多少の誤差は許容されるものであって、さらにいえば、高さに対して厚みの大きいログ材11の場合は、芯から適宜離れた箇所にダボ50を設置する場合もある。
【００４４】
なお、本実施の形態におけるダボ50は、上下に隣接するログ材11の上側のログ材11の高さ寸法の半分以上にわたり、垂直に挿入されるとともに、下側のログ材11の高さ寸法の半分以上にわたるものであればよく、さらにその一段下のログ材11に達していても差し支えない。
なお、本実施の形態におけるダボ50の形状は、図３及び図４に示したラグスクリューに限られず、図５に示すようなダボ50（木製であってもよく、金属製であってもよい）を上下に隣接するログ材11の上段下面に設けられた上段孔54と、下段上面に設けられた下段孔56とに挿入することで、上下に隣接するログ材11同士を連結してもよい。
【００４５】
（通しボルト60でログ材11の最上段から最下段を緊結する方法）
以下、図３を参照して、通しボルト60でログ材11の最上段から最下段を緊結する方法について説明する。
【００４６】
図３（Ａ）に示すように、基礎20と土台30とはアンカーボルト40により固定されている。このとき、図３（Ａ）に示すように、第１の実施の形態における土台30には、左右に隣接する土台30同士が通しボルト60の位置で不連続となっている箇所があり、この左右に隣接する土台30同士の間は、ログ材11の最上段から最下段までを貫通してきた通しボルト60をナット62で固定するための締め空間32として用いられる。また、この締め空間32内には、六面体の六面のうち、対向する二面が開口している箱部材36が設置されている（ただし、この箱部材36の開口面は、対向する二面でなくてもよく、一面だけでもよい）。このとき、箱部材36の下面には、図示しない開口部分が設けられており、その開口部分を挿通して箱部材36内に突出したアンカーボルト40の突出部分を座金61を挟んでナット62で締めることにより箱部材36と基礎20とを固定している。これにより、最下段のログ材11が座金61とナット62とによって通しボルト60と緊結される。また、図３（Ｂ）に示すように、最上段のログ材11も同様に座金61とナット62とによって通しボルト60と緊結される。
【００４７】
ここで、図３（Ａ）に示すように、第１の実施の形態におけるダボ50は、ラグスクリューである。そしてこのダボ50が、一のログ材11とこの一のログ材11の一段下のログ材11とは平面視において異なる位置に、一方、一のログ材11と、この一のログ材11の二段下のログ材11とは平面視において同一位置に挿入されていることで、該上下に隣接するログ材11同士を連結している。
上記の工程を重ねて、最上段から最下段までの上下に隣接するログ材11同士をダボ50で連結していき、全てのログ材11が積み上げられた後、通しボルト60をボルト用孔65に挿通する。その結果、最下段のログ材11及び箱部材36を貫通した通しボルト60が締め空間32内に突出し、その突出部分をナット62で締めることにより、通しボルト60によるログ壁10の緊結がなされる。
【００４８】
（ログ壁10の引抜力）
ここで、図１を参照しつつ、各補強領域15におけるログ壁10の引抜力について説明する。まず、１箇所のダボ50が引き受ける水平方向の剪断力をｑ（Ｎ）とする。
【００４９】
左側の補強領域15の幅はｗ１（ｍｍ）であり、高さはｈ（ｍｍ）である。また、この補強領域15にはダボ50が二箇所設けられているので、ダボ50が引き受けることのできる剪断力は最大２ｑ（Ｎ）である。よって、この補強領域15にこの剪断力に相当する水平力がかかった場合の引抜力ｔ１は、
ｔ１＝２ｑｈ／ｗ１
となる。
【００５０】
中央の補強領域15の幅はｗ２（ｍｍ）であり、高さはｈ（ｍｍ）である。また、この補強領域15にはダボ50が三箇所設けられているので、ダボ50が引き受けることのできる剪断力は最大３ｑ（Ｎ）である。よって、この補強領域15にこの剪断力に相当する水平力がかかった場合の引抜力ｔ２は、
ｔ２＝３ｑｈ／ｗ２
となる。
【００５１】
右側の補強領域15の幅はｗ３（ｍｍ）であり、高さはｈ（ｍｍ）である。また、この補強領域15にはダボ50が一箇所設けられているので、ダボ50が引き受けることのできる剪断力は最大ｑ（Ｎ）である。よって、この補強領域15にこの剪断力に相当する水平力がかかった場合の引抜力ｔ３は、
ｔ３＝ｑｈ／ｗ３
となる。
【００５２】
（通しボルト60の必要断面積）
次に、各補強領域15における通しボルト60の必要断面積について説明する。まず、通しボルト60の許容引張応力度をｆｔ（Ｎ／ｍｍ２）とする。
【００５３】
左側の補強領域15における通しボルト60の必要断面積Ａ１（ｍｍ２）は、
Ａ１＝ｔ１／ｆｔ＝２ｑｈ／ｗ１／ｆｔ
となる。
【００５４】
中央の補強領域15における通しボルト60の必要断面積Ａ２（ｍｍ２）は、
Ａ２＝ｔ２／ｆｔ＝３ｑｈ／ｗ２／ｆｔ
となる。
【００５５】
右側の補強領域15における通しボルト60の必要断面積Ａ３（ｍｍ２）は、
Ａ３＝ｔ３／ｆｔ＝ｑｈ／ｗ３／ｆｔ
となる。
【００５６】
（座金61の必要面積）
次に、各補強領域15における座金61の必要面積について説明する。まず、ログ材11の許容支圧応力度をｆｃ（Ｎ／ｍｍ２）とする。
【００５７】
左側の補強領域15における座金61の必要面積Ｂ１（ｍｍ２）は、
Ｂ１＝ｔ１／ｆｃ＝２ｑｈ／ｗ１／ｆｃ
となる。
【００５８】
中央の補強領域15における座金61の必要面積Ｂ２（ｍｍ２）は、
Ｂ２＝ｔ２／ｆｃ＝３ｑｈ／ｗ２／ｆｃ
となる。
【００５９】
右側の補強領域15における座金61の必要面積Ｂ３（ｍｍ２）は、
Ｂ３＝ｔ３／ｆｃ＝ｑｈ／ｗ３／ｆｃ
となる。
【００６０】
以上より、左側の補強領域15では、断面積Ａ１の通しボルト60及び面積Ｂ１の座金61が必要である。また、中央の補強領域15では、断面積Ａ２の通しボルト60及び面積Ｂ２の座金61が必要である。さらに、右側の補強領域15では、断面積Ａ３の通しボルト60及び面積Ｂ３の座金61が必要である。これらの通しボルト60及び座金61は、補強領域15ごとに必要なサイズのものを用意して使用することが望ましい。
【００６１】
しかしながら、何種類も通しボルト60及び座金61を揃えるのはコストが嵩むとともに、それらを所定の補強領域15に間違いなく装着する必要があり、施工管理上非常に煩雑である。よって、上記の例においては、通しボルト60はＡ１、Ａ２及びＡ３のうちの最大の値を断面積とするものを用意し、また、座金61はＢ１、Ｂ２及びＢ３のうちの最大の値を面積とするものを用意して、全ての補強領域にこのサイズの通しボルト60及び座金61を装着することとしてもよい。
【００６２】
（第２の実施の形態）
以下、図６、図７及び図８を参照して、本発明の実施の形態に係る第２の実施の形態を説明する。また、第２の実施の形態において、第１の実施の形態と同一の構成要素には、第１の実施の形態において用いた符号と同一の符号を用いている。そして、第１の実施の形態と重複する部分は説明を省略し、第２の実施の形態における特徴点を中心に説明する。
【００６３】
（第２の実施の形態における特徴点）
本発明の第２の実施の形態におけるログ壁10は、図６に示すように、ログ材11の最上段から最下段にかけては、平面視において同一位置で貫通しているダボ用孔52が形成されており、ダボ50は、管状を呈し、かつ、補強領域15においてログ材11の最上段から最下段まで平面視において同一位置でダボ用孔52に挿入されており、少なくとも一つの通しボルト60がダボ50内に挿通されていることを特徴とする。
【００６４】
すなわち、図６及び図７に示すように、第２の実施形態に係る通しボルト60は、平面視において同一位置に設けられたダボ50の内部を挿通している点で、通しボルト60とダボ50とが平面視において異なる位置に設けられた第１の実施の形態と異なっている。
【００６５】
（通しボルト60でログ材11の最上段から最下段を緊結する方法）
以下、図７を参照して、通しボルト60でログ材11の最上段から最下段を緊結する方法について説明する。
【００６６】
図７に示すように、基礎20と土台30とはアンカーボルト40により固定されている。このとき、図７に示すように、第２の実施の形態における土台30には、左右に隣接する土台30同士が通しボルト60の位置で不連続となっている箇所があり、この左右に隣接する土台30同士の間は、ログ材11の最上段から最下段までを貫通してきた通しボルト60をナット62で固定するための締め空間32として用いられる。また、この通しボルト60の緊結に際して土台30をも同時に緊結すべく、これらの土台30の上面にプレート34を載置し、通しボルト60をプレート34をも貫通させた上でナット62を締めて緊結することとしている。
【００６７】
ここで、図８に示すように、第２の実施の形態におけるダボ50は、管状に形成されている。また、ダボ用孔52には、上下に隣接するログ材11の上段下面に設けられた上段孔54と、下段上面には設けられた下段孔56とを備えている。そして、第２の実施の形態におけるダボ50は、上下に隣接するログ材11の上段下面に設けられた上段孔54と、下段上面に設けられた下段孔56とに挿入されることで、該上下に隣接するログ材11同士を連結している。なお、図７に示すように、最下段のダボ50とプレート34とは溶接され、一体となっている。
【００６８】
上記の工程を重ねて、最上段から最下段までの上下に隣接するログ材11同士をダボ50で連結していき、全てのログ材11が積み上げられた後、通しボルト60をダボ50内に挿通する。その結果、最下段のログ材11及びプレート34を貫通した通しボルト60が締め空間32内に突出し、その突出部分をナット62で締めることにより、通しボルト60によるログ壁10の緊結がなされる。
【００６９】
（第３の実施の形態）
以下、図９、図１０及び図１１を参照して、本発明の実施の形態に係る第３の実施の形態を説明する。また、第３の実施の形態において、第１、第２の実施の形態と同一の構成要素には、第１、第２の実施の形態において用いた符号と同一の符号を用いている。そして、第１、第２の実施の形態と重複する部分は説明を省略し、第３の実施の形態における特徴点を中心に説明する。
【００７０】
（第３の実施の形態における特徴点）
本発明の第３の実施の形態におけるログ壁10は、ログ材11の最上段から最下段にかけては、平面視において同一位置で貫通しているダボ用孔52が形成されており、ダボ50は、棒状を呈し、かつ、補強領域15においてログ材11の最上段から最下段まで平面視において同一位置でダボ用孔52に挿入されていることを特徴とする。
すなわち、図９及び図１０に示すように、第３の実施形態に係るダボ50は、平面視において同一位置に設けられている点で第２の実施形態と共通し、ダボ50が各段のログ材11において互い違いに設けられた第１の実施の形態と異なっている。
【００７１】
（通しボルト60でログ材11の最上段から最下段を緊結する方法）
以下、図１０を参照して、通しボルト60でログ材11の最上段から最下段を緊結する方法について説明する。
【００７２】
図１０に示すように、基礎20と土台30とはアンカーボルト40により固定されている。ここで、図１０に示すように、第３の実施の形態における土台30には、左右に隣接する土台30同士が通しボルト60の位置で不連続となっている箇所があり、この左右に隣接する土台30同士の間は、ログ材11の最上段から最下段までを貫通してきた通しボルト60をナット62で固定するための締め空間32として用いられる。また、この締め空間32内には、六面体の六面のうち、対向する二面が開口している箱部材36が設置されている（ただし、前述のように、この箱部材36の開口面は、対向する二面でなくてもよく、一面だけでもよい）。このとき、箱部材36の下面には、図示しない開口部分が設けられており、その開口部分を挿通して箱部材36内に突出したアンカーボルト40の突出部分をナット62で締めることにより箱部材36と基礎20とを固定している。
【００７３】
また、図１１に示すように、第３の実施の形態におけるダボ50は、棒状に形成されており、上下に隣接するログ材11の上段下面に設けられた上段孔54と、下段上面には設けられた下段孔56とに挿入されることで、該上下に隣接するログ材11同士を連結している。なお、図１０に示すように、最下段のダボ50の下にはプレート34が載置されており、このプレート34と最下段のダボ50とは溶接され、一体となっている。
【００７４】
上記の工程を重ねて、最上段から最下段までの上下に隣接するログ材11同士をダボ50で連結していき、全てのログ材11が積み上げられた後、通しボルト60をダボ50が設けられている位置とは平面視において異なる位置にログ材11の最上段から最下段にかけて開口されたボルト用孔65に挿通する。その結果、最下段のログ材11及び箱部材36を貫通した通しボルト60が締め空間32内に突出し、その突出部分をナット62で締めることにより、通しボルト60によるログ壁10の緊結がなされる。
【符号の説明】
【００７５】
1  ログハウス
10  ログ壁                          11  ログ材
12  交差部                          13  すだれ壁
15  補強領域                        20  基礎
30  土台                            32  締め空間
34  プレート                        36  箱部材
40  アンカーボルト
50  ダボ                            52  ダボ用孔
54  上段孔                          56  下段孔
60  通しボルト                      61  座金
62  ナット                          65  ボルト用孔
70  開口部                          72  第１開口部
74  第２開口部
500  ダボ                          600  通しボルト
【図１】
2017150298.tif 000003
【図２】
2017150298.tif 000004
【図３】
2017150298.tif 000005
【図４】
2017150298.tif 000006
【図５】
2017150298.tif 000007
【図６】
2017150298.tif 000008
【図７】
2017150298.tif 000009
【図８】
2017150298.tif 000010
【図９】
2017150298.tif 000011
【図１０】
2017150298.tif 000012
【図１１】
2017150298.tif 000013
【図１２】
2017150298.tif 000014